(57)【要約】【課題】各書類４に付されたバーコード６を高速で読取る。【解決手段】バーコード６が付された書類４が上面に投入される長尺の滑り台２０と、滑り台における短尺方向の一方の縁に沿って設けられたガイド部２１と、滑り台の上面に投入された書類が、長尺方向にかつその書類の一辺がガイド部に接しながら上面を滑り落ちるように、滑り台を水平方向に対して傾斜させて支持する支持機構１９と、滑り台の上方に配設され、滑り台の上面を滑り落ちる書類が滑り台の上面の規定位置に到達したことを非接触で検出する位置検出センサ２５と、滑り台の上方に配設され、位置検出センサにおける書類の検出に応動して、滑り台の上面の規定位置近傍を通過する書類に付されたバーコードを非接触かつ光学的に読取るバーコードリーダ２４とを備えている。【選択図】　　図２
2004102327.tif 000002
【特許請求の範囲】
【請求項１】
バーコードが付された書類が上面に投入される長尺の滑り台と、
この滑り台における短尺方向の一方の縁に沿って設けられたガイド部と、
前記滑り台の上面に投入された書類が、長尺方向にかつその書類の一辺が前記ガイド部に接しながら前記上面を滑り落ちるように、前記滑り台を水平方向に対して傾斜させて支持する支持機構と、
前記滑り台の上方に配設され、前記滑り台の上面を滑り落ちる書類が前記滑り台の上面の規定位置に到達したことを非接触で検出する位置検出センサと、
前記滑り台の上方に配設され、前記位置検出センサにおける書類の検出に応動して、前記滑り台の上面の規定位置近傍を通過する書類に付されたバーコードを非接触かつ光学的に読取るバーコードリーダと
を備えたことを特徴とするバーコード読取装置。
【請求項２】
前記滑り台の上面にローラを取付けたことを特徴とする請求項１記載のバーコード読取装置。
【発明の詳細な説明】
【０００１】
【発明の属する技術分野】
本発明は、順次投入される各書類に付されたバーコードを高速で読取るバーコード読取装置に関する。
【０００２】
【従来の技術】
銀行や保険会社や証券会社等の各種の金融金融機関においては、顧客や取引先との間で交わす各種の契約書類や、顧客や取引先との間で授受される各種の債権書類や、顧客や取引先から預かった証券書類等を、それぞれ書類の種類毎に、保管番号を付して、専用の収納装置における各棚に保管するようにしている。そして、保管が長期間に亘る場合、期末に、棚卸によって、在庫確認を実施するようにしている。
【０００３】
従来、この棚卸作業を円滑に行うために、書類に保管番号を付すと同時にこの保管番号を示すバーコードを付して、棚卸し時に、係員が、各棚に保管された各書類を１葉ずつ取出して、各書類に付されたバーコードを携帯型のバーコード読取装置で読取って、ＰＣ（パーソナル・コンピュータ）等のメモリへ書込んで、後から一括して、台帳やホストコンピュータに登録されている本来あるべき書類の一覧と照合している。
【０００４】
【発明が解決しようとする課題】
しかしながら、係員が、各棚に保管された各書類を１つずつ取出して、各書類に付されバーコードを携帯型のバーコード読取装置を操作してその都度読取る手法については、まだ改良すべき次のような課題があった。
【０００５】
すなわち、各書類は分類されてそれぞれ専用の収納装置の各棚に収納されているが、各棚に収納される書類数は数１０通に及ぶ。さらに、全ての収納装置の各棚に収納されている書類数は３０万〜１００万通にも及ぶ場合がある。
【０００６】
このような膨大な数の書類に付された各バーコードを係員が携帯型のバーコード読取装置を用いて手作業で読取る場合においては、係員の作業負担が大幅に増加するとともに、各棚に保管された各書類に対する棚卸し作業効率が大幅に低下する。
【０００７】
本発明はこのような事情に鑑みてなされたものであり、投入された書類を滑り落とす滑り台を採用することによって、係員にとって、バーコードが付された書類を順次投入するのみで、自動的にバーコードが読取られ、読取作業能率を大幅に向上できるバーコード読取装置を提供することを目的とする。
【０００８】
【課題を解決するための手段】
上記課題を解消するために、本発明のバーコード読取装置は、バーコードが付された書類が上面に投入される長尺の滑り台と、この滑り台における短尺方向の一方の縁に沿って設けられたガイド部と、滑り台の上面に投入された書類が、長尺方向にかつその書類の一辺がガイド部に接しながら上面を滑り落ちるように、滑り台を水平方向に対して傾斜させて支持する支持機構と、滑り台の上方に配設され、滑り台の上面を滑り落ちる書類が滑り台の上面の規定位置に到達したことを非接触で検出する位置検出センサと、滑り台の上方に配設され、位置検出センサにおける書類の検出に応動して、滑り台の上面の規定位置近傍を通過する書類に付されたバーコードを非接触かつ光学的に読取るバーコードリーダとを備えている。
【０００９】
このように構成されたバーコード読取装置においては、滑り台の上面に順次バーコードが付された書類を投入すると、投入された各書類は、順番に滑り台を長尺方向に滑り落ちていく。そして、滑り落ちていく過程で、書類が滑り台の上面の規定位置に到達すると、位置検出センサがその書類の規定位置を検出し、バーコードリーダが起動する。そして、このバーコードリーダは、規定位置近傍を滑り落ちる状態の書類に付されたバーコードを読取る。
【００１０】
なお、滑り台は、水平方向に対して、例えば、長尺方向のみならず、短尺方向にも傾斜させているので、投入された書類は、長尺方向にかつその書類の一辺がガイド部に接しながら上面を滑り落ちる。したがって、書類は滑り落ちる過程で滑り台の上面から外れることはないので、バーコードリーダにて、書類に付されたバーコードが確実に読取られる。
【００１１】
また別の発明においては、滑り台の上面にローラが取付けられている。
【００１２】
このように構成されたバーコード読取装置においては、滑り台の上面にローラが取付けられているので、この滑り台の上面に投入された書類は、より円滑に滑り台の上面を長尺方向に滑り落ちていく。
【００１３】
【発明の実施の形態】
以下、本発明の一実施形態を図面を用いて説明する。
図１は本発明の一実施形態に係るバーコード読取装置が組込まれた書類棚卸しシステムの概略構成を示す模式図である。
【００１４】
書類専用の収納装置１には多数の棚２が設けられており、各棚２には透明のケース３が収納されており、このケース３内には複数枚の書類４が収納されている。各棚２には棚番号５が付されている。各書類４には、「債権」等の書類の内容が記載されるととともに、保管番号を示すバーコード６がシール等にて付されている。
【００１５】
係員７は、棚卸し時に、収納装置１の各棚２に収納されたケース３を取出してＰＣ（パーソナル・コンピュータ）からなる棚卸し計算機８へ運ぶ。この棚卸し計算機８には、表示器９、キーボード１０の他に、バーコード読取装置１１、プリンタ１２が接続されている。さらに、このこの棚卸し計算機８は、書類管理システム１３に接続され、この書類管理システム１３との間で各種の情報交換が可能である。
【００１６】
書類管理システム１３内には、書類管理データベース１４が設けられている。書類管理データベース１４内には、収納装置１に収納されている全ての書類４について、該当書類４の種別、契約番号、債権番号、証券番号等の管理情報１５、保管番号６、棚番号５が一覧表形式で登録されている。
【００１７】
図２はバーコード読取装置１１の概略構成を示す斜視図であり、図３（ａ）は、側面図であり、図３（ｂ）は正面図である。
【００１８】
一対の側壁１６ａ、１６ｂと低壁１６ｃとで断面が略コ字型に形成されたベース１６における側壁１６ａ、１６ｂ相互間に長尺の支持機構としての支持ブロック１９が収納されている。この支持ブロック１９の上面は全面に亘って長尺方向にＶ字状の傾斜面１９ａ、１９ｂが形成されている。傾斜面１９ａ、１９ｂは互いに直交している。さらに、側壁１６ａ側の傾斜面１９ａにおける短尺方向の水平方向に対する傾斜角αは、図３（ａ）に示すように、３０°に設定されている。
【００１９】
ベース１６の側壁１６ａには上下方向に一対の長孔１７が穿設されており、支持ブロック１９の側面に一端が固定されたボルト１８の他端がこの長孔１７を貫通して、側壁１６ａの表面に露出している。このボルト１８の他端の長孔１７内における上下方向位置を調整することによって、支持ブロック１９の上面（傾斜面１９ａ、１９ｂ）の長尺方向の水平方向に対する傾斜角βを任意の角度に設定可能である。この実施形態においては、図３（ａ）に示すように、傾斜角βは２０°に設定されている。傾斜角βの調整作業が終了すると、各ボルト１８を図示しない締め具で各長孔１７に固定する。
【００２０】
支持ブロック１９の上面の一方の傾斜面１９ａには、長尺の滑り台２０が取付けられている。さらに、上面の他方の傾斜面１９ｂには、ガイド板１２が取付けられている。したがって、このガイド板１２の下部は、長尺の滑り台２０の短尺方向の一方の縁に沿って設けられたガイド部を構成する。
【００２１】
長尺の滑り台２０には、多数の小型のローラ２２が、その回転面の一部が上面に露出するように、回転自在に埋込み固定されている。このように、ローラ２２を滑り台２０に取付けることによって、この傾斜する滑り台２０の上面に投入された書類４を円滑に下方へ滑り落とすことが可能となる。
【００２２】
また、傾斜した滑り台２０の上面における下方位置には、反射鏡２３が埋込固定されている。
【００２３】
ガイド板１２における反射鏡２３に対向する位置に、位置検出センサ２５が取付けられている。この、位置検出センサ２５は、反射鏡２３に対して常時レーザ光を照射しており、この反射鏡２３から反射されたレーザ光を受光している。そして、図２に示すように、傾斜した滑り台２０を滑り落ちる書類４によって、反射鏡２３からの反射レーザ光が遮断されると、位置検出センサ２５は、書類検出信号を出力する。
【００２４】
ガイド板２１における位置検出センサ２５の隣接位置に、バーコードリーダ２４が取付られている。このバーコードリーダ２４は、位置検出センサ２５から書類検出信号を受信すると、図２に示すように、反射鏡２３位置にさしかかった書類４に付されたバーコード６を光学的に読取る。具体的には、図３（ｂ）に示すように、発光素子２４ａで書類４におけるバーコード６を含む領域を照射し、受光素子２４ｂでバーコード６を含む領域の画像を読取って、画像処理を行うことにより、バーコード６を認識する。なお、ＰＯＳ端末におけるバーコードリーダと同様に、バーコード６をレーザ光線でスキャンすることによって、バーコード６を認識することも可能である。バーコードリーダ２４は、読取ったバーコード６からなる保管番号を棚卸し計算機８へ送信する。
【００２５】
なお、滑り台２０において、投入された書類４は、長尺方向にかつその書類４の一辺がガイド板２１の下部に接しながら上面を滑り落ちる。したがって、書類４は、滑り台２０を滑り落ちる過程で、滑り台２０の上面から外れることはなく、かつ同一姿勢を維持しているので、バーコードリーダ２４にて、書類４に付されたバーコード６が確実に読取られる。
【００２６】
なお、図２においては、バーコード６が読取られた後の各書類４を収納するための籠２６が設けられているが、図３（ａ）（ｂ）においては、バーコード６が読取られた後の各書類４を図示しないコンベア等の搬送機構に導くためのガイド治具２７が設けられている。
【００２７】
このように構成されたバーコード読取装置１１において、係員７が、図２に示すように、棚２から取出したケース３に収納された各書類４を順番に取出して、バーコード６面を上面にして、互いに重ならないように滑り台２０上に投入すれば、この各書類４は一辺がガイド板２１に接触しながら、滑り台２０上を下方に向かって滑り落ちていく。
【００２８】
そして、滑り落ちていく過程で、この書類４の先端が反射鏡２３位置にさしかかると、この書類４に付されたバーコード６が読取られる。バーコード６が読取られた後の各書類４は、籠２６内に落下して、籠２６内に収納される。係員７は、この籠２６内に収納されたひとまとまりの書類４を元のケース３へ移し、さらに、このケース３を収納装置１における元の棚２へ戻す。
【００２９】
このように構成されたバーコード読取装置１１が組込まれた書類棚卸しシステムにおける棚卸し計算機８が行う棚卸し処理動作を図４に示す流れ図を用いて説明する。
【００３０】
キーボード１０を介して、係員７から棚番号５が入力されると（ステップＳ１）、この入力された棚番号５を一旦バッファに格納する（Ｓ２）。係員７が該当棚２のケース３の各書類４をバーコード読取装置１１へ投入開始すると、バーコード読取装置１１からバーコード６に対応する保管番号が入力される。保管番号が入力されると（Ｓ３）、この入力した保管番号を自己の記憶部内に形成された保管番号メモリに追加記憶する（Ｓ４）。そして、係員７が一つの棚２に対する書類の読取終了指示を操作入力しない場合は（Ｓ５）、Ｓ３へ戻り、次の保管番号が入力されるのを待つ。
【００３１】
係員７が一つの棚２に対する書類の読取終了指示を操作入力すると（Ｓ５）、一つの棚２に収納された全部の書類４のバーコード化された保管番号の読取り、及び保管番号メモリに対する書込が終了したので、書類管理システム１３と情報交換を開始する。そして、この書類管理システム１３の書類管理データベース１４に記憶されているバッファに一時記憶されている棚番号５に対応する各保存番号を読出す。そして、この書類管理データベース１４から読出した各保存番号と自己の保管番号メモリに記憶された各保存番号との照合を実施する（Ｓ６）。
【００３２】
照合において一致すれば（Ｓ７）、表示器９に正常表示を行い（Ｓ８）、正常の照合結果をプリンタ１２で印字出力する（Ｓ１０）。一方、照合において不一致の場合は（Ｓ７）、表示器９にエラー（異常）表示を行い（Ｓ８）、エラー（異常）の照合結果をプリンタ１２で印字出力する（Ｓ１０）。そして、該当棚２（棚番号５）に対する正常又はエラー（異常）の照合結果を書類管理システム１３へ送信する（Ｓ１１）。
【００３３】
係員７が収納装置１に対する書類の棚卸終了指示を操作入力しない場合は（Ｓ１２）、Ｓ１へ戻り、次の棚番号が入力されるのを待つ。係員７が収納装置１に対する書類の棚卸終了指示を操作入力すると、今回の棚卸し処理動作を終了する。
【００３４】
このようなバーコード読取装置１１が組込まれた書類棚卸しシステムにおいては、期末の棚卸し時において、係員７は、収納装置１の各棚２に収納されたケース３を取出し、棚番号５を棚卸し計算機８へキーボード１０を介して入力する。次に、係員７は、ケース３内の各書類４を順番にバーコード読取装置１１の傾斜した滑り台２０の上面に投入するのみでよい。係員７は、各書類４に付されたバーコード６の読散が修了すると、照合結果を表示器９で確認ののち、籠２６内に収納されたひとまとまりの書類４を元のケース３へ移し、このケース３を元の棚２へ戻す。
【００３５】
このように、係員７にとって、各書類に付されたバーコードを携帯型のバーコード読取装置を用いて手動でその都度読取っていた従来手法に比較して、バーコードの読取り作業能率を大幅に向上できる。その結果、棚卸し作業効率を大幅に向上できる。
【００３６】
【発明の効果】
以上説明したように、本発明のバーコード読取装置においては、投入された書類を滑り落とす滑り台を採用し、この滑り台を滑り落ちる過程の書類に付されたバーコードをバーコードリーダで読取るようにしている。
【００３７】
したがって、係員にとって、バーコードが付された書類を順次投入するのみで、自動的にバーコードが読取られるので、バーコードの読取作業能率を大幅に向上できる。
【図面の簡単な説明】
【図１】本発明の一実施形態に係るバーコード読取装置が組込まれた書類棚卸しシステムの概略構成を示す模式図
【図２】同実施形態に係るバーコード読取装置の概略構成を示す斜視図
【図３】同実施形態に係るバーコード読取装置の概略構成を示す側面図及び正面図
【図４】書類棚卸しシステムに組込まれた棚卸し計算機の棚卸し動作を示す流れ図
【符号の説明】
１…収納装置
２…棚
３…ケース
４…書類
５…棚番号
６…バーコード
７…係員
８…棚卸し計算機
１１…バーコード読取装置
１３…書類管理システム
１６…ベース
１９…支持ブロック
２０…滑り台
２１…ガイド板
２２…ローラ
２３…反射鏡
２４…バーコードリーダ
２５…位置検出センサ
【図１】
2004102327.tif 000003
【図２】
2004102327.tif 000004
【図３】
2004102327.tif 000005
【図４】
2004102327.tif 000006